(57)【要約】【課題】多層膜付きレンズのほぼ全面が外部から均一な色に見えるようにする。【解決手段】ＬＥＤ１と、多層膜付きレンズ２とを具備し、ＬＥＤ１の点灯時には、ＬＥＤ１からの光が多層膜を透過せしめられて外部に照射され、ＬＥＤ１の非点灯時には、外部からの光のうち、多層膜を透過せしめられる光とは波長帯の異なる光が、多層膜によって反射される照明装置において、多層膜付きレンズ２のほぼ全面に到達する程度に拡散角度θの大きい光が照射されるＬＥＤ１を用いる。または、ＬＥＤ１から照射された光を多層膜付きレンズ２のほぼ全面に到達させるためのリフレクタ３を設ける。あるいは、ＬＥＤ１から照射された光を多層膜付きレンズ２のほぼ全面に到達させるための導光レンズ５を多層膜付きレンズ２とは別個に設ける。【選択図】図１
2008010150.tif 000002
【特許請求の範囲】
【請求項１】
ＬＥＤと、多層膜付きレンズとを具備し、ＬＥＤの点灯時には、ＬＥＤからの光が多層膜を透過せしめられて外部に照射され、ＬＥＤの非点灯時には、外部からの光のうち、多層膜を透過せしめられる光とは波長帯の異なる光が、多層膜によって反射される照明装置において、多層膜付きレンズのほぼ全面に到達する程度に拡散角度の大きい光が照射されるＬＥＤを用いることを特徴とする照明装置。
【請求項２】
ＬＥＤと、多層膜付きレンズとを具備し、ＬＥＤの点灯時には、ＬＥＤからの光が多層膜を透過せしめられて外部に照射され、ＬＥＤの非点灯時には、外部からの光のうち、多層膜を透過せしめられる光とは波長帯の異なる光が、多層膜によって反射される照明装置において、ＬＥＤから照射された光を多層膜付きレンズのほぼ全面に到達させるためのリフレクタを設けたことを特徴とする照明装置。
【請求項３】
ＬＥＤと、多層膜付きレンズとを具備し、ＬＥＤの点灯時には、ＬＥＤからの光が多層膜を透過せしめられて外部に照射され、ＬＥＤの非点灯時には、外部からの光のうち、多層膜を透過せしめられる光とは波長帯の異なる光が、多層膜によって反射される照明装置において、ＬＥＤから照射された光を多層膜付きレンズのほぼ全面に到達させるための導光レンズを多層膜付きレンズとは別個に設けたことを特徴とする照明装置。
【請求項４】
ＬＥＤと、多層膜付きレンズとを具備し、ＬＥＤの点灯時には、ＬＥＤからの光が多層膜を透過せしめられて外部に照射され、ＬＥＤの非点灯時には、外部からの光のうち、多層膜を透過せしめられる光とは波長帯の異なる光が、多層膜によって反射される照明装置において、ＬＥＤから照射された光を多層膜のほぼ全面に到達させるための導光機能を多層膜付きレンズに備えたことを特徴とする照明装置。
【請求項５】
ＬＥＤから多層膜付きレンズまでの光路上に光拡散手段を配置したことを特徴とする請求項１〜４のいずれか一項に記載の照明装置。
【請求項６】
前記ＬＥＤとして、６００〜６６０ｎｍの波長帯を含む赤色光を照射するＬＥＤを用い、前記多層膜として、４５０〜５００ｎｍの波長帯を含む青色光、５００〜５５０ｎｍの波長帯を含む緑色光、および、６６０〜７８０ｎｍの波長帯を含む赤色光を反射する多層膜を形成したことを特徴とする請求項１〜５のいずれか一項に記載の照明装置。
【請求項７】
前記ＬＥＤとして、５６０〜６１０ｎｍの波長帯を含むオレンジ色光を照射するＬＥＤを用い、前記多層膜として、４５０〜５００ｎｍの波長帯を含む青色光、５００〜５５０ｎｍの波長帯を含む緑色光、および、６３０〜７８０ｎｍの波長帯を含む赤色光を反射する多層膜を形成したことを特徴とする請求項１〜５のいずれか一項に記載の照明装置。
【発明の詳細な説明】
【技術分野】
【０００１】
本発明は、ＬＥＤと、多層膜付きレンズとを具備し、ＬＥＤの点灯時には、ＬＥＤからの光が多層膜を透過せしめられて外部に照射され、ＬＥＤの非点灯時には、外部からの光のうち、多層膜を透過せしめられる光とは波長帯の異なる光が、多層膜によって反射される照明装置に関し、特には、ＬＥＤの点灯時に、多層膜付きレンズのほぼ全面が外部から均一な色に見えるようにすることができる照明装置に関する。
【背景技術】
【０００２】
従来から、ランプと、多層膜付きレンズとを具備する照明装置（車両用灯具）が知られている。この種の照明装置（車両用灯具）の例としては、例えば特開２００４−１０３３４３号公報に記載されたものがある。
【０００３】
特開２００４−１０３３４３号公報に記載された照明装置（車両用灯具）では、レンズが例えば赤色に着色されている。詳細には、ランプの点灯時には、ランプから照射された光がレンズによって赤色に着色され、次いで、その赤色光が多層膜を透過せしめられて外部に照射される。一方、ランプの非点灯時には、外部からの光のうち、赤色とは異なる色の光が多層膜によって反射される。
【０００４】
つまり、特開２００４−１０３３４３号公報に記載された照明装置（車両用灯具）では、ランプの点灯時に、多層膜を透過せしめられた赤色光が外部に照射されるのに対し、ランプの非点灯時には、多層膜によって反射された赤色とは異なる色の光が外部に照射される。
【０００５】
そのため、特開２００４−１０３３４３号公報に記載された照明装置（車両用灯具）によれば、ランプの点灯時と非点灯時とで、多層膜付きレンズが外部から異なる色に見えるようにすることができる。
【０００６】
【特許文献１】特開２００４−１０３３４３号公報
【発明の開示】
【発明が解決しようとする課題】
【０００７】
ところで、特開２００４−１０３３４３号公報に記載された照明装置（車両用灯具）では、上述したように、ランプの点灯時に、ランプから照射された光がレンズによって赤色に着色され、その赤色光が外部に照射されているが、代わりに、赤色ＬＥＤを用い、赤色ＬＥＤの点灯時に、無色透明レンズおよび多層膜を透過せしめられた赤色ＬＥＤからの赤色光を外部に照射することが考えられる。
【０００８】
ところが、赤色ＬＥＤとして、照射光の指向性が高く、照射光の拡散角度が小さいものを用いると、多層膜付きレンズに、赤色ＬＥＤから照射された光が到達する部分と、到達しない部分とが生じてしまう。その結果、多層膜付きレンズのうち、赤色ＬＥＤから照射された光が到達する部分が、外部から赤色に見えるものの、赤色ＬＥＤから照射された光が到達しない部分では、外部からの光のうち、赤色とは異なる色の光が多層膜によって反射されるため、その部分が外部から赤色とは異なる色に見えてしまう。
【０００９】
つまり、赤色ＬＥＤとして、照射光の指向性が高く、照射光の拡散角度が小さいものを用いると、赤色ＬＥＤの点灯時に、赤色ＬＥＤから照射された光が到達する部分と、到達しない部分とで、多層膜付きレンズが外部から異なる色に見えてしまう。
【００１０】
前記問題点に鑑み、本発明は、ＬＥＤの点灯時に、多層膜付きレンズのほぼ全面が外部から均一な色に見えるようにすることができる照明装置を提供することを目的とする。
【００１１】
換言すれば、本発明は、ＬＥＤの点灯時に、ＬＥＤから照射された光が到達した部分と、到達しなかった部分とで、多層膜付きレンズが外部から異なる色に見えてしまうおそれを低減することができる照明装置を提供することを目的とする。
【課題を解決するための手段】
【００１２】
請求項１に記載の発明によれば、ＬＥＤと、多層膜付きレンズとを具備し、ＬＥＤの点灯時には、ＬＥＤからの光が多層膜を透過せしめられて外部に照射され、ＬＥＤの非点灯時には、外部からの光のうち、多層膜を透過せしめられる光とは波長帯の異なる光が、多層膜によって反射される照明装置において、多層膜付きレンズのほぼ全面に到達する程度に拡散角度の大きい光が照射されるＬＥＤを用いることを特徴とする照明装置が提供される。
【００１３】
請求項２に記載の発明によれば、ＬＥＤと、多層膜付きレンズとを具備し、ＬＥＤの点灯時には、ＬＥＤからの光が多層膜を透過せしめられて外部に照射され、ＬＥＤの非点灯時には、外部からの光のうち、多層膜を透過せしめられる光とは波長帯の異なる光が、多層膜によって反射される照明装置において、ＬＥＤから照射された光を多層膜付きレンズのほぼ全面に到達させるためのリフレクタを設けたことを特徴とする照明装置が提供される。
【００１４】
請求項３に記載の発明によれば、ＬＥＤと、多層膜付きレンズとを具備し、ＬＥＤの点灯時には、ＬＥＤからの光が多層膜を透過せしめられて外部に照射され、ＬＥＤの非点灯時には、外部からの光のうち、多層膜を透過せしめられる光とは波長帯の異なる光が、多層膜によって反射される照明装置において、ＬＥＤから照射された光を多層膜付きレンズのほぼ全面に到達させるための導光レンズを多層膜付きレンズとは別個に設けたことを特徴とする照明装置が提供される。
【００１５】
請求項４に記載の発明によれば、ＬＥＤと、多層膜付きレンズとを具備し、ＬＥＤの点灯時には、ＬＥＤからの光が多層膜を透過せしめられて外部に照射され、ＬＥＤの非点灯時には、外部からの光のうち、多層膜を透過せしめられる光とは波長帯の異なる光が、多層膜によって反射される照明装置において、ＬＥＤから照射された光を多層膜のほぼ全面に到達させるための導光機能を多層膜付きレンズに備えたことを特徴とする照明装置が提供される。
【００１６】
請求項５に記載の発明によれば、ＬＥＤから多層膜付きレンズまでの光路上に光拡散手段を配置したことを特徴とする請求項１〜４のいずれか一項に記載の照明装置が提供される。
【００１７】
請求項６に記載の発明によれば、前記ＬＥＤとして、６００〜６６０ｎｍの波長帯を含む赤色光を照射するＬＥＤを用い、前記多層膜として、４５０〜５００ｎｍの波長帯を含む青色光、５００〜５５０ｎｍの波長帯を含む緑色光、および、６６０〜７８０ｎｍの波長帯を含む赤色光を反射する多層膜を形成したことを特徴とする請求項１〜５のいずれか一項に記載の照明装置が提供される。
【００１８】
請求項７に記載の発明によれば、前記ＬＥＤとして、５６０〜６１０ｎｍの波長帯を含むオレンジ色光を照射するＬＥＤを用い、前記多層膜として、４５０〜５００ｎｍの波長帯を含む青色光、５００〜５５０ｎｍの波長帯を含む緑色光、および、６３０〜７８０ｎｍの波長帯を含む赤色光を反射する多層膜を形成したことを特徴とする請求項１〜５のいずれか一項に記載の照明装置が提供される。
【発明の効果】
【００１９】
請求項１に記載の照明装置では、多層膜付きレンズのほぼ全面に到達する程度に拡散角度の大きい光を照射するＬＥＤが用いられる。詳細には、請求項１に記載の照明装置では、ＬＥＤの点灯時に、ＬＥＤから照射された光が多層膜付きレンズのほぼ全面に到達し、多層膜を透過せしめられて外部に照射される。
【００２０】
そのため、請求項１に記載の照明装置によれば、ＬＥＤの点灯時に、ＬＥＤから照射された光が多層膜付きレンズの一部分のみに到達するのに伴って、ＬＥＤから照射された光が到達した部分と、到達しなかった部分とで、多層膜付きレンズが外部から異なる色に見えてしまうおそれを低減することができる。
【００２１】
換言すれば、請求項１に記載の照明装置によれば、ＬＥＤの点灯時に、多層膜付きレンズのほぼ全面が外部から均一な色に見えるようにすることができる。
【００２２】
請求項２に記載の照明装置では、ＬＥＤから照射された光を多層膜付きレンズのほぼ全面に到達させるためのリフレクタが設けられている。詳細には、請求項２に記載の照明装置では、ＬＥＤの点灯時に、ＬＥＤから照射された光が、リフレクタによって反射され、多層膜付きレンズのほぼ全面に到達し、多層膜を透過せしめられて外部に照射される。
【００２３】
そのため、請求項２に記載の照明装置によれば、ＬＥＤの点灯時に、ＬＥＤから照射された光が多層膜付きレンズの一部分のみに到達するのに伴って、ＬＥＤから照射された光が到達した部分と、到達しなかった部分とで、多層膜付きレンズが外部から異なる色に見えてしまうおそれを低減することができる。
【００２４】
換言すれば、請求項２に記載の照明装置によれば、ＬＥＤの点灯時に、多層膜付きレンズのほぼ全面が外部から均一な色に見えるようにすることができる。
【００２５】
請求項３に記載の照明装置では、ＬＥＤから照射された光を多層膜付きレンズのほぼ全面に到達させるための導光レンズが多層膜付きレンズとは別個に設けられている。詳細には、請求項３に記載の照明装置では、ＬＥＤの点灯時に、ＬＥＤから照射された光が、導光レンズによって導光され、多層膜付きレンズのほぼ全面に到達し、多層膜を透過せしめられて外部に照射される。
【００２６】
そのため、請求項３に記載の照明装置によれば、ＬＥＤの点灯時に、ＬＥＤから照射された光が多層膜付きレンズの一部分のみに到達するのに伴って、ＬＥＤから照射された光が到達した部分と、到達しなかった部分とで、多層膜付きレンズが外部から異なる色に見えてしまうおそれを低減することができる。
【００２７】
換言すれば、請求項３に記載の照明装置によれば、ＬＥＤの点灯時に、多層膜付きレンズのほぼ全面が外部から均一な色に見えるようにすることができる。
【００２８】
請求項４に記載の照明装置では、ＬＥＤから照射された光を多層膜のほぼ全面に到達させるための導光機能が多層膜付きレンズに備えられている。詳細には、請求項４に記載の照明装置では、ＬＥＤの点灯時に、ＬＥＤから照射された光が、多層膜付きレンズのレンズ部分によって導光され、多層膜のほぼ全面に到達し、多層膜を透過せしめられて外部に照射される。
【００２９】
そのため、請求項４に記載の照明装置によれば、ＬＥＤの点灯時に、ＬＥＤから照射された光が多層膜付きレンズの一部分のみに到達するのに伴って、ＬＥＤから照射された光が到達した部分と、到達しなかった部分とで、多層膜付きレンズが外部から異なる色に見えてしまうおそれを低減することができる。
【００３０】
換言すれば、請求項４に記載の照明装置によれば、ＬＥＤの点灯時に、多層膜付きレンズのほぼ全面が外部から均一な色に見えるようにすることができる。
【００３１】
請求項５に記載の照明装置では、ＬＥＤから多層膜付きレンズまでの光路上に光拡散手段が配置されている。そのため、請求項５に記載の照明装置によれば、光拡散手段が配置されていない場合よりも多層膜付きレンズを大きくしつつ、ＬＥＤの点灯時に、多層膜付きレンズのほぼ全面が外部から均一な色に見えるようにすることができる。
【００３２】
請求項６に記載の照明装置では、ＬＥＤとして、６００〜６６０ｎｍの波長帯を含む赤色光を照射するＬＥＤが用いられ、多層膜として、４５０〜５００ｎｍの波長帯を含む青色光、５００〜５５０ｎｍの波長帯を含む緑色光、および、６６０〜７８０ｎｍの波長帯を含む赤色光を反射する多層膜が形成されている。
【００３３】
そのため、請求項６に記載の照明装置によれば、ＬＥＤの点灯時に外部に照射される光の光量を低下させることなく、ＬＥＤの非点灯時に、多層膜によって反射された銀色系、黄色系、黄緑色系、ピンク色系、あるいは、真紅色系の波長帯の光を外部に照射することができる。
【００３４】
請求項７に記載の照明装置では、ＬＥＤとして、５６０〜６１０ｎｍの波長帯を含むオレンジ色光を照射するＬＥＤが用いられ、多層膜として、４５０〜５００ｎｍの波長帯を含む青色光、５００〜５５０ｎｍの波長帯を含む緑色光、および、６３０〜７８０ｎｍの波長帯を含む赤色光を反射する多層膜が形成されている。
【００３５】
そのため、請求項７に記載の照明装置によれば、ＬＥＤの点灯時に外部に照射される光の光量を低下させることなく、ＬＥＤの非点灯時に、多層膜によって反射された銀色系、黄色系、黄緑色系、ピンク色系、あるいは、真紅色系の波長帯の光を外部に照射することができる。
【発明を実施するための最良の形態】
【００３６】
以下、本発明の照明装置の第１の実施形態について説明する。図１および図２は第１の実施形態の照明装置の断面図である。詳細には、図１はＬＥＤ１の点灯時における光路を示した第１の実施形態の照明装置の断面図、図２はＬＥＤ１の非点灯時における光路を示した第１の実施形態の照明装置の断面図である。
【００３７】
図１および図２において、１’はＬＥＤ１の主光軸線を示しており、２は多層膜付きレンズを示している。詳細には図示しないが、第１の実施形態の照明装置では、多層膜がレンズの内側の面（図１の多層膜付きレンズ２の左側の面）に形成されている。第１の実施形態の照明装置の変形例では、代わりに、多層膜をレンズの外側の面（図１の多層膜付きレンズ２の右側の面）に形成することも可能である。多層膜がレンズの外側の面（図１の多層膜付きレンズ２の右側の面）に形成されると、多層膜が摩耗してしまうおそれがある場合には、多層膜がレンズの内側の面（図１の多層膜付きレンズ２の左側の面）に形成される。
【００３８】
第１の実施形態の照明装置では、ＬＥＤ１から例えば赤色光が照射される。ＬＥＤ１の点灯時には、図１に示すように、ＬＥＤ１からの赤色光Ｌ１が、多層膜を透過せしめられ、外部（図１の多層膜付きレンズ２の右側）に照射される。そのため、外部（図１の多層膜付きレンズ２の右側）からは、多層膜を透過せしめられた赤色光Ｌ１’が見える。
【００３９】
一方、ＬＥＤ１の非点灯時には、図２に示すように、外部（図２の多層膜付きレンズ２の右側）からの例えば自然光のような光Ｌ２のうち、一部の波長帯の赤色光Ｌ２’が多層膜を透過せしめられる。また、多層膜を透過せしめられる赤色光Ｌ２’とは波長帯の異なる例えば銀色光、黄色光、ピンク色光、真紅色光等の光Ｌ２”が、多層膜によって反射される。そのため、外部（図２の多層膜付きレンズ２の右側）からは、多層膜を透過せしめられる赤色光Ｌ１’，Ｌ２’とは波長帯の異なる例えば銀色光、黄色光、ピンク色光、真紅色光等の光Ｌ２”が見える。
【００４０】
換言すれば、第１の実施形態の照明装置では、ＬＥＤ１の点灯時と、ＬＥＤ１の非点灯時とで、外部（図１および図２の多層膜付きレンズ２の右側）からの見栄えが異なる。
【００４１】
更に、第１の実施形態の照明装置では、図１に示すように、多層膜付きレンズ２のほぼ全面に到達する程度に拡散角度θの大きい赤色光Ｌ１を照射するＬＥＤ１が用いられる。詳細には、第１の実施形態の照明装置では、図１に示すように、ＬＥＤ１の点灯時に、ＬＥＤ１から照射された赤色光Ｌ１が多層膜付きレンズ２のほぼ全面に到達し、多層膜を透過せしめられて外部（図１の多層膜付きレンズ２の右側）に照射される。
【００４２】
そのため、第１の実施形態の照明装置によれば、ＬＥＤ１の点灯時に、ＬＥＤ１から照射された赤色光Ｌ１が多層膜付きレンズ２の一部分のみに到達するのに伴って、ＬＥＤ１から照射された赤色光Ｌ１が到達した部分と、到達しなかった部分とで、多層膜付きレンズ２が外部（図１の多層膜付きレンズ２の右側）から異なる色に見えてしまうおそれを低減することができる。換言すれば、第１の実施形態の照明装置によれば、ＬＥＤ１の点灯時に、多層膜付きレンズ２のほぼ全面が外部（図１の多層膜付きレンズ２の右側）から均一な色に見えるようにすることができる。
【００４３】
図２０は第１の実施形態の照明装置の変形例のＬＥＤを示した図である。第１の実施形態の照明装置では、図１および図２に示すように、拡散角度θの大きい光Ｌ１を照射するＬＥＤ１として、例えばモールド樹脂などのようなレンズを備えていないＬＥＤチップが用いられているが、第１の実施形態の照明装置の変形例では、図２０（Ａ）および図２０（Ｂ）に示すように、拡散角度θの大きい光Ｌ１を照射するＬＥＤ１として、上面が平面状に構成されている例えばモールド樹脂などのようなレンズを備えたＬＥＤチップを用いることも可能である。また、第１の実施形態の照明装置の変形例では、図２０（Ｃ）に示すように、拡散角度θの大きい光Ｌ１を照射するＬＥＤ１として、上面が凹状に構成されている例えばモールド樹脂などのようなレンズを備えたＬＥＤチップを用いることも可能である。あるいは、第１の実施形態の照明装置の変形例では、図２０（Ｄ）に示すように、拡散角度θの大きい光Ｌ１を照射するＬＥＤ１として、上面が扁平率の比較的高い凸状に構成されている例えばモールド樹脂などのようなレンズを備えたＬＥＤチップを用いることも可能である。図２０に示した第１の実施形態の照明装置の変形例によれば、ＬＥＤチップによるランバーシアン特性より広く光を照射することができるため、第１の実施形態の照明装置と同様に、ＬＥＤ１の配置間隔を広げることができる。
【００４４】
上述したように、第１の実施形態の照明装置では、ＬＥＤ１として赤色光を照射するものが用いられ、ＬＥＤ１から照射された赤色光Ｌ１が多層膜を透過せしめられているが、第１の実施形態の照明装置の変形例では、代わりに、ＬＥＤ１として白色光を照射するものを用いると共に、ＬＥＤ１と多層膜との間に赤色レンズまたは赤色塗膜を配置し、赤色レンズまたは赤色塗膜によって赤色に着色された光が、多層膜を透過せしめられるようにすることも可能である。
【００４５】
詳細には、第１の実施形態の照明装置の第１例では、ＬＥＤ１として、６００〜６６０ｎｍの波長帯の赤色光を照射するものが用いられ、多層膜によって反射される光の波長帯と反射率との関係が図３に示す関係になるように、多層膜が形成されている。
【００４６】
図３は第１の実施形態の照明装置の第１例の多層膜によって反射される光の波長帯と反射率との関係を示した図である。図３に示すように、第１の実施形態の照明装置の第１例の多層膜では、６００〜６６０ｎｍの波長帯を含む赤色光が透過せしめられ、４５０〜５００ｎｍの波長帯を含む青色光、５００〜５５０ｎｍの波長帯を含む緑色光、および、６６０〜７８０ｎｍの波長帯を含む赤色光（詳細には、真紅色光）が反射される。
【００４７】
第１の実施形態の照明装置の第１例では、ＬＥＤ１の点灯時に、図１および図３に示すように、ＬＥＤ１から照射された赤色光Ｌ１が、多層膜を透過せしめられ、外部（図１の多層膜付きレンズ２の右側）に照射される。そのため、外部（図１の多層膜付きレンズ２の右側）からは、多層膜を透過せしめられた赤色光Ｌ１’が見える。
【００４８】
一方、ＬＥＤ１の非点灯時には、図２および図３に示すように、外部（図２の多層膜付きレンズ２の右側）からの例えば自然光のような光Ｌ２のうち、一部の波長帯の赤色光Ｌ２’が多層膜を透過せしめられる。また、多層膜を透過せしめられる赤色光Ｌ２’とは波長帯の異なる青色光、緑色光、および真紅色光Ｌ２”が、多層膜によって反射される。そのため、外部（図２の多層膜付きレンズ２の右側）からは、青色光、緑色光、および真紅色光が混ざった銀色光Ｌ２”が見える。詳細には、青色光の割合が高い場合に、青色の強い銀色光Ｌ２”になり、緑色光の割合が高い場合に、緑色の強い銀色光Ｌ２”になり、真紅色光の割合が高い場合に、赤色の強い銀色光Ｌ２”になる。
【００４９】
表１は第１の実施形態の照明装置の第１例などで用いられる多層膜の詳細を示している。
【００５０】
【表１】
2008010150.tif 000003
【００５１】
表１に示すように、第１の実施形態の照明装置の第１例では、１１層の膜によって多層膜が構成されている。詳細には、第１層がＴｉＯ２によって形成され、第１層の屈折率が２．０に設定され、第１層の厚さが１８０ｎｍに設定されている。また、第２層がＳｉＯ２によって形成され、第２層の屈折率が１．４６に設定され、第２層の厚さが１８０ｎｍに設定されている。更に、第３層がＴｉＯ２によって形成され、第３層の屈折率が２．０に設定され、第３層の厚さが３６０ｎｍに設定されている。また、第４層がＳｉＯ２によって形成され、第４層の屈折率が１．４６に設定され、第４層の厚さが１８０ｎｍに設定されている。更に、第５層がＴｉＯ２によって形成され、第５層の屈折率が２．０に設定され、第５層の厚さが１８０ｎｍに設定されている。
【００５２】
また、第６層がＳｉＯ２によって形成され、第６層の屈折率が１．４６に設定され、第６層の厚さが１８０ｎｍに設定されている。更に、第７層がＴｉＯ２によって形成され、第７層の屈折率が２．０に設定され、第７層の厚さが１８０ｎｍに設定されている。また、第８層がＳｉＯ２によって形成され、第８層の屈折率が１．４６に設定され、第８層の厚さが１８０ｎｍに設定されている。更に、第９層がＴｉＯ２によって形成され、第９層の屈折率が２．０に設定され、第９層の厚さが３６０ｎｍに設定されている。また、第１０層がＳｉＯ２によって形成され、第１０層の屈折率が１．４６に設定され、第１０層の厚さが１８０ｎｍに設定されている。更に、第１１層がＴｉＯ２によって形成され、第１１層の屈折率が２．０に設定され、第１１層の厚さが１８０ｎｍに設定されている。
【００５３】
更に、第１の実施形態の照明装置の第２例では、ＬＥＤ１として、６００〜６６０ｎｍの波長帯の赤色光を照射するものが用いられ、多層膜によって反射される光の波長帯と反射率との関係が図４に示す関係になるように、多層膜が形成されている。
【００５４】
図４は第１の実施形態の照明装置の第２例の多層膜によって反射される光の波長帯と反射率との関係を示した図である。図４に示すように、第１の実施形態の照明装置の第２例の多層膜では、６００〜６６０ｎｍの波長帯を含む赤色光が透過せしめられ、４５０〜５００ｎｍの波長帯を含む青色光、５００〜５５０ｎｍの波長帯を含む緑色光、および、６６０〜７８０ｎｍの波長帯を含む赤色光（詳細には、真紅色光）が反射される。
【００５５】
表１に示すように、第１の実施形態の照明装置の第２例では、１１層の膜によって多層膜が構成されている。詳細には、第１層がＴｉＯ２によって形成され、第１層の屈折率が２．０に設定され、第１層の厚さが１７４ｎｍに設定されている。また、第２層がＳｉＯ２によって形成され、第２層の屈折率が１．４６に設定され、第２層の厚さが１７４ｎｍに設定されている。更に、第３層がＴｉＯ２によって形成され、第３層の屈折率が２．０に設定され、第３層の厚さが２６１ｎｍに設定されている。また、第４層がＳｉＯ２によって形成され、第４層の屈折率が１．４６に設定され、第４層の厚さが１７４ｎｍに設定されている。更に、第５層がＴｉＯ２によって形成され、第５層の屈折率が２．０に設定され、第５層の厚さが１７４ｎｍに設定されている。
【００５６】
また、第６層がＳｉＯ２によって形成され、第６層の屈折率が１．４６に設定され、第６層の厚さが１７４ｎｍに設定されている。更に、第７層がＴｉＯ２によって形成され、第７層の屈折率が２．０に設定され、第７層の厚さが１７４ｎｍに設定されている。また、第８層がＳｉＯ２によって形成され、第８層の屈折率が１．４６に設定され、第８層の厚さが１７４ｎｍに設定されている。更に、第９層がＴｉＯ２によって形成され、第９層の屈折率が２．０に設定され、第９層の厚さが２６１ｎｍに設定されている。また、第１０層がＳｉＯ２によって形成され、第１０層の屈折率が１．４６に設定され、第１０層の厚さが１７４ｎｍに設定されている。更に、第１１層がＴｉＯ２によって形成され、第１１層の屈折率が２．０に設定され、第１１層の厚さが１７４ｎｍに設定されている。
【００５７】
更に、第１の実施形態の照明装置の第３例では、ＬＥＤ１として、６００〜６６０ｎｍの波長帯の赤色光を照射するものが用いられ、多層膜によって反射される光の波長帯と反射率との関係が図５に示す関係になるように、多層膜が形成されている。
【００５８】
図５は第１の実施形態の照明装置の第３例の多層膜によって反射される光の波長帯と反射率との関係を示した図である。図５に示すように、第１の実施形態の照明装置の第３例の多層膜では、６００〜６６０ｎｍの波長帯を含む赤色光が透過せしめられ、４５０〜５００ｎｍの波長帯を含む青色光、５００〜５５０ｎｍの波長帯を含む緑色光、および、６６０〜７８０ｎｍの波長帯を含む赤色光（詳細には、真紅色光）が反射される。
【００５９】
表１に示すように、第１の実施形態の照明装置の第３例では、９層の膜によって多層膜が構成されている。詳細には、第１層がＴｉＯ２によって形成され、第１層の屈折率が２．０に設定され、第１層の厚さが１５５ｎｍに設定されている。また、第２層がＳｉＯ２によって形成され、第２層の屈折率が１．４６に設定され、第２層の厚さが１５５ｎｍに設定されている。更に、第３層がＴｉＯ２によって形成され、第３層の屈折率が２．０に設定され、第３層の厚さが１５５ｎｍに設定されている。また、第４層がＳｉＯ２によって形成され、第４層の屈折率が１．４６に設定され、第４層の厚さが１５５ｎｍに設定されている。更に、第５層がＴｉＯ２によって形成され、第５層の屈折率が２．０に設定され、第５層の厚さが３１０ｎｍに設定されている。
【００６０】
また、第６層がＳｉＯ２によって形成され、第６層の屈折率が１．４６に設定され、第６層の厚さが１５５ｎｍに設定されている。更に、第７層がＴｉＯ２によって形成され、第７層の屈折率が２．０に設定され、第７層の厚さが１５５ｎｍに設定されている。また、第８層がＳｉＯ２によって形成され、第８層の屈折率が１．４６に設定され、第８層の厚さが１５５ｎｍに設定されている。更に、第９層がＴｉＯ２によって形成され、第９層の屈折率が２．０に設定され、第９層の厚さが１５５ｎｍに設定されている。
【００６１】
更に、第１の実施形態の照明装置の第４例では、ＬＥＤ１として、６００〜６６０ｎｍの波長帯の赤色光を照射するものが用いられ、多層膜によって反射される光の波長帯と反射率との関係が図６に示す関係になるように、多層膜が形成されている。
【００６２】
図６は第１の実施形態の照明装置の第４例の多層膜によって反射される光の波長帯と反射率との関係を示した図である。図６に示すように、第１の実施形態の照明装置の第４例の多層膜では、６００〜６６０ｎｍの波長帯を含む赤色光が透過せしめられ、５００〜５５０ｎｍの波長帯を含む緑色光、および、６６０〜７８０ｎｍの波長帯を含む赤色光（詳細には、真紅色光）が反射される。
【００６３】
第１の実施形態の照明装置の第４例では、ＬＥＤ１の点灯時に、図１および図６に示すように、ＬＥＤ１から照射された赤色光Ｌ１が、多層膜を透過せしめられ、外部（図１の多層膜付きレンズ２の右側）に照射される。そのため、外部（図１の多層膜付きレンズ２の右側）からは、多層膜を透過せしめられた赤色光Ｌ１’が見える。
【００６４】
一方、ＬＥＤ１の非点灯時には、図２および図６に示すように、外部（図２の多層膜付きレンズ２の右側）からの例えば自然光のような光Ｌ２のうち、一部の波長帯の赤色光Ｌ２’が多層膜を透過せしめられる。また、多層膜を透過せしめられる赤色光Ｌ２’とは波長帯の異なる緑色光および真紅色光Ｌ２”が、多層膜によって反射される。そのため、外部（図２の多層膜付きレンズ２の右側）からは、緑色光および真紅色光が混ざった黄色光Ｌ２”が見える。詳細には、緑色光の割合が高い場合に、黄緑色光Ｌ２”になり、真紅色光の割合が高い場合に、オレンジ色光Ｌ２”になる。
【００６５】
表２は第１の実施形態の照明装置の第４例で用いられる多層膜の詳細を示している。
【００６６】
【表２】
2008010150.tif 000004
【００６７】
表２に示すように、第１の実施形態の照明装置の第４例では、９層の膜によって多層膜が構成されている。詳細には、第１層がＴｉＯ２によって形成され、第１層の屈折率が２．０に設定され、第１層の厚さが２３６ｎｍに設定されている。また、第２層がＳｉＯ２によって形成され、第２層の屈折率が１．４６に設定され、第２層の厚さが３６２ｎｍに設定されている。更に、第３層がＴｉＯ２によって形成され、第３層の屈折率が２．０に設定され、第３層の厚さが１７３ｎｍに設定されている。また、第４層がＳｉＯ２によって形成され、第４層の屈折率が１．４６に設定され、第４層の厚さが１７３ｎｍに設定されている。更に、第５層がＴｉＯ２によって形成され、第５層の屈折率が２．０に設定され、第５層の厚さが１４２ｎｍに設定されている。
【００６８】
また、第６層がＳｉＯ２によって形成され、第６層の屈折率が１．４６に設定され、第６層の厚さが２６８ｎｍに設定されている。更に、第７層がＴｉＯ２によって形成され、第７層の屈折率が２．０に設定され、第７層の厚さが２０５ｎｍに設定されている。また、第８層がＳｉＯ２によって形成され、第８層の屈折率が１．４６に設定され、第８層の厚さが１７３ｎｍに設定されている。更に、第９層がＴｉＯ２によって形成され、第９層の屈折率が２．０に設定され、第９層の厚さが１７３ｎｍに設定されている。
【００６９】
更に、第１の実施形態の照明装置の第５例では、ＬＥＤ１として、６００〜６６０ｎｍの波長帯の赤色光を照射するものが用いられ、多層膜によって反射される光の波長帯と反射率との関係が図７に示す関係になるように、多層膜が形成されている。
【００７０】
図７は第１の実施形態の照明装置の第５例の多層膜によって反射される光の波長帯と反射率との関係を示した図である。図７に示すように、第１の実施形態の照明装置の第５例の多層膜では、６００〜６６０ｎｍの波長帯を含む赤色光が透過せしめられ、４５０〜５００ｎｍの波長帯を含む青色光、５００〜５５０ｎｍの波長帯を含む緑色光、および、６６０〜７８０ｎｍの波長帯を含む赤色光（詳細には、真紅色光）が反射される。
【００７１】
第１の実施形態の照明装置の第５例では、ＬＥＤ１の点灯時に、図１および図７に示すように、ＬＥＤ１から照射された赤色光Ｌ１が、多層膜を透過せしめられ、外部（図１の多層膜付きレンズ２の右側）に照射される。そのため、外部（図１の多層膜付きレンズ２の右側）からは、多層膜を透過せしめられた赤色光Ｌ１’が見える。
【００７２】
一方、ＬＥＤ１の非点灯時には、図２および図７に示すように、外部（図２の多層膜付きレンズ２の右側）からの例えば自然光のような光Ｌ２のうち、一部の波長帯の赤色光Ｌ２’が多層膜を透過せしめられる。また、多層膜を透過せしめられる赤色光Ｌ２’とは波長帯の異なる青色光、緑色光、および、真紅色光Ｌ２”が、多層膜によって反射される。そのため、外部（図２の多層膜付きレンズ２の右側）からは、青色光、緑色光、および、真紅色光が混ざったピンク色光Ｌ２”が見える。詳細には、緑色光は、青色光および真紅色光よりも少なくされる。更に詳細には、緑色光の割合が高い場合に、桜色光Ｌ２”になり、緑色光の割合が低い場合に、濃い紫色光Ｌ２”になる。また、真紅色光の割合が高い場合に、赤の強いワイン色光Ｌ２”になり、青色光の割合が高い場合に、青紫色光Ｌ２”になる。
【００７３】
表３は第１の実施形態の照明装置の第５例で用いられる多層膜の詳細を示している。
【００７４】
【表３】
2008010150.tif 000005
【００７５】
表３に示すように、第１の実施形態の照明装置の第５例では、１１層の膜によって多層膜が構成されている。詳細には、第１層がＴｉＯ２によって形成され、第１層の屈折率が２．０に設定され、第１層の厚さが１４５ｎｍに設定されている。また、第２層がＳｉＯ２によって形成され、第２層の屈折率が１．４６に設定され、第２層の厚さが１４５ｎｍに設定されている。更に、第３層がＴｉＯ２によって形成され、第３層の屈折率が２．０に設定され、第３層の厚さが２９０ｎｍに設定されている。また、第４層がＳｉＯ２によって形成され、第４層の屈折率が１．４６に設定され、第４層の厚さが１４５ｎｍに設定されている。更に、第５層がＴｉＯ２によって形成され、第５層の屈折率が２．０に設定され、第５層の厚さが１４５ｎｍに設定されている。
【００７６】
また、第６層がＳｉＯ２によって形成され、第６層の屈折率が１．４６に設定され、第６層の厚さが１４５ｎｍに設定されている。更に、第７層がＴｉＯ２によって形成され、第７層の屈折率が２．０に設定され、第７層の厚さが２９０ｎｍに設定されている。また、第８層がＳｉＯ２によって形成され、第８層の屈折率が１．４６に設定され、第８層の厚さが１４５ｎｍに設定されている。更に、第９層がＴｉＯ２によって形成され、第９層の屈折率が２．０に設定され、第９層の厚さが１４５ｎｍに設定されている。また、第１０層がＳｉＯ２によって形成され、第１０層の屈折率が１．４６に設定され、第１０層の厚さが１４５ｎｍに設定されている。更に、第１１層がＴｉＯ２によって形成され、第１１層の屈折率が２．０に設定され、第１１層の厚さが２９０ｎｍに設定されている。
【００７７】
更に、第１の実施形態の照明装置の第６例では、ＬＥＤ１として、６００〜６６０ｎｍの波長帯の赤色光を照射するものが用いられ、多層膜によって反射される光の波長帯と反射率との関係が図８に示す関係になるように、多層膜が形成されている。
【００７８】
図８は第１の実施形態の照明装置の第６例の多層膜によって反射される光の波長帯と反射率との関係を示した図である。図８に示すように、第１の実施形態の照明装置の第６例の多層膜では、６００〜６６０ｎｍの波長帯を含む赤色光が透過せしめられ、６６０〜７８０ｎｍの波長帯を含む赤色光（詳細には、真紅色光）が反射される。
【００７９】
第１の実施形態の照明装置の第６例では、ＬＥＤ１の点灯時に、図１および図８に示すように、ＬＥＤ１から照射された赤色光Ｌ１が、多層膜を透過せしめられ、外部（図１の多層膜付きレンズ２の右側）に照射される。そのため、外部（図１の多層膜付きレンズ２の右側）からは、多層膜を透過せしめられた赤色光Ｌ１’が見える。
【００８０】
一方、ＬＥＤ１の非点灯時には、図２および図８に示すように、外部（図２の多層膜付きレンズ２の右側）からの例えば自然光のような光Ｌ２のうち、一部の波長帯の赤色光Ｌ２’が多層膜を透過せしめられる。また、多層膜を透過せしめられる赤色光Ｌ２’とは波長帯の異なる真紅色光Ｌ２”が、多層膜によって反射される。そのため、外部（図２の多層膜付きレンズ２の右側）からは、真紅色の光Ｌ２”が見える。
【００８１】
表４は第１の実施形態の照明装置の第６例で用いられる多層膜の詳細を示している。
【００８２】
【表４】
2008010150.tif 000006
【００８３】
表４に示すように、第１の実施形態の照明装置の第６例では、１４層の膜によって多層膜が構成されている。詳細には、第１層がＴｉＯ２によって形成され、第１層の屈折率が２．０に設定され、第１層の厚さが１８８ｎｍに設定されている。また、第２層がＳｉＯ２によって形成され、第２層の屈折率が１．４６に設定され、第２層の厚さが１８８ｎｍに設定されている。更に、第３層がＴｉＯ２によって形成され、第３層の屈折率が２．０に設定され、第３層の厚さが１８８ｎｍに設定されている。また、第４層がＳｉＯ２によって形成され、第４層の屈折率が１．４６に設定され、第４層の厚さが１８８ｎｍに設定されている。更に、第５層がＴｉＯ２によって形成され、第５層の屈折率が２．０に設定され、第５層の厚さが１８８ｎｍに設定されている。
【００８４】
また、第６層がＳｉＯ２によって形成され、第６層の屈折率が１．４６に設定され、第６層の厚さが１８８ｎｍに設定されている。更に、第７層がＴｉＯ２によって形成され、第７層の屈折率が２．０に設定され、第７層の厚さが１８８ｎｍに設定されている。また、第８層がＳｉＯ２によって形成され、第８層の屈折率が１．４６に設定され、第８層の厚さが１８８ｎｍに設定されている。更に、第９層がＴｉＯ２によって形成され、第９層の屈折率が２．０に設定され、第９層の厚さが１８８ｎｍに設定されている。また、第１０層がＳｉＯ２によって形成され、第１０層の屈折率が１．４６に設定され、第１０層の厚さが１８８ｎｍに設定されている。更に、第１１層がＴｉＯ２によって形成され、第１１層の屈折率が２．０に設定され、第１１層の厚さが１８８ｎｍに設定されている。また、第１２層がＳｉＯ２によって形成され、第１２層の屈折率が１．４６に設定され、第１２層の厚さが１８８ｎｍに設定されている。更に、第１３層がＴｉＯ２によって形成され、第１３層の屈折率が２．０に設定され、第１３層の厚さが１８８ｎｍに設定されている。また、第１４層がＳｉＯ２によって形成され、第１４層の屈折率が１．４６に設定され、第１４層の厚さが９４ｎｍに設定されている。
【００８５】
以下、本発明の照明装置の第２の実施形態について説明する。第２の実施形態の照明装置は図１および図２に示した第１の実施形態の照明装置とほぼ同様に構成されている。
【００８６】
第２の実施形態の照明装置では、ＬＥＤ１から例えばオレンジ色光が照射される。ＬＥＤ１の点灯時には、図１に示すように、ＬＥＤ１からのオレンジ色光Ｌ１が、多層膜を透過せしめられ、外部（図１の多層膜付きレンズ２の右側）に照射される。そのため、外部（図１の多層膜付きレンズ２の右側）からは、多層膜を透過せしめられたオレンジ色光Ｌ１’が見える。
【００８７】
一方、ＬＥＤ１の非点灯時には、図２に示すように、外部（図２の多層膜付きレンズ２の右側）からの例えば自然光のような光Ｌ２のうち、一部の波長帯のオレンジ色光Ｌ２’が多層膜を透過せしめられる。また、多層膜を透過せしめられるオレンジ色光Ｌ２’とは波長帯の異なる例えば銀色光、黄色光、ピンク色光、真紅色光等の光Ｌ２”が、多層膜によって反射される。そのため、外部（図２の多層膜付きレンズ２の右側）からは、多層膜を透過せしめられるオレンジ色光Ｌ１’，Ｌ２’とは波長帯の異なる例えば銀色光、黄色光、ピンク色光、真紅色光等の光Ｌ２”が見える。
【００８８】
換言すれば、第２の実施形態の照明装置では、ＬＥＤ１の点灯時と、ＬＥＤ１の非点灯時とで、外部（図１および図２の多層膜付きレンズ２の右側）からの見栄えが異なる。
【００８９】
更に、第２の実施形態の照明装置では、図１に示すように、多層膜付きレンズ２のほぼ全面に到達する程度に拡散角度θの大きいオレンジ色光Ｌ１を照射するＬＥＤ１が用いられる。詳細には、第２の実施形態の照明装置では、図１に示すように、ＬＥＤ１の点灯時に、ＬＥＤ１から照射されたオレンジ色光Ｌ１が多層膜付きレンズ２のほぼ全面に到達し、多層膜を透過せしめられて外部（図１の多層膜付きレンズ２の右側）に照射される。
【００９０】
そのため、第２の実施形態の照明装置によれば、ＬＥＤ１の点灯時に、ＬＥＤ１から照射されたオレンジ色光Ｌ１が多層膜付きレンズ２の一部分のみに到達するのに伴って、ＬＥＤ１から照射されたオレンジ色光Ｌ１が到達した部分と、到達しなかった部分とで、多層膜付きレンズ２が外部（図１の多層膜付きレンズ２の右側）から異なる色に見えてしまうおそれを低減することができる。換言すれば、第２の実施形態の照明装置によれば、ＬＥＤ１の点灯時に、多層膜付きレンズ２のほぼ全面が外部（図１の多層膜付きレンズ２の右側）から均一な色に見えるようにすることができる。
【００９１】
詳細には、第２の実施形態の照明装置の第１例では、ＬＥＤ１として、５６０〜６１０ｎｍの波長帯のオレンジ色光を照射するものが用いられる。
【００９２】
更に、第２の実施形態の照明装置の第１例の多層膜では、５６０〜６１０ｎｍの波長帯を含むオレンジ色光が透過せしめられ、４５０〜５００ｎｍの波長帯を含む青色光、５００〜５５０ｎｍの波長帯を含む緑色光、および、６３０〜７８０ｎｍの波長帯を含む赤色光が反射される。
【００９３】
そのため、第２の実施形態の照明装置の第１例では、ＬＥＤ１の非点灯時に、図２に示すように、外部（図２の多層膜付きレンズ２の右側）からの例えば自然光のような光Ｌ２のうち、一部の波長帯のオレンジ色光Ｌ２’が多層膜を透過せしめられる。また、多層膜を透過せしめられるオレンジ色光Ｌ２’とは波長帯の異なる青色光、緑色光、および赤色光Ｌ２”が、多層膜によって反射される。そのため、外部（図２の多層膜付きレンズ２の右側）からは、青色光、緑色光、および赤色光が混ざった例えば銀色光Ｌ２”が見える。
【００９４】
以下、本発明の照明装置の第３の実施形態について説明する。第３の実施形態の照明装置は図１および図２に示した第１の実施形態の照明装置とほぼ同様に構成されている。
【００９５】
第３の実施形態の照明装置では、ＬＥＤ１から例えば緑色光が照射される。ＬＥＤ１の点灯時には、図１に示すように、ＬＥＤ１からの緑色光Ｌ１が、多層膜を透過せしめられ、外部（図１の多層膜付きレンズ２の右側）に照射される。そのため、外部（図１の多層膜付きレンズ２の右側）からは、多層膜を透過せしめられた緑色光Ｌ１’が見える。
【００９６】
一方、ＬＥＤ１の非点灯時には、図２に示すように、外部（図２の多層膜付きレンズ２の右側）からの例えば自然光のような光Ｌ２のうち、一部の波長帯の緑色光Ｌ２’が多層膜を透過せしめられる。また、多層膜を透過せしめられる緑色光Ｌ２’とは波長帯の異なる例えば銀色光Ｌ２”が、多層膜によって反射される。そのため、外部（図２の多層膜付きレンズ２の右側）からは、多層膜を透過せしめられる緑色光Ｌ１’，Ｌ２’とは波長帯の異なる例えば銀色光Ｌ２”が見える。
【００９７】
換言すれば、第３の実施形態の照明装置では、ＬＥＤ１の点灯時と、ＬＥＤ１の非点灯時とで、外部（図１および図２の多層膜付きレンズ２の右側）からの見栄えが異なる。
【００９８】
更に、第３の実施形態の照明装置では、図１に示すように、多層膜付きレンズ２のほぼ全面に到達する程度に拡散角度θの大きい緑色光Ｌ１を照射するＬＥＤ１が用いられる。詳細には、第３の実施形態の照明装置では、図１に示すように、ＬＥＤ１の点灯時に、ＬＥＤ１から照射された緑色光Ｌ１が多層膜付きレンズ２のほぼ全面に到達し、多層膜を透過せしめられて外部（図１の多層膜付きレンズ２の右側）に照射される。
【００９９】
そのため、第３の実施形態の照明装置によれば、ＬＥＤ１の点灯時に、ＬＥＤ１から照射された緑色光Ｌ１が多層膜付きレンズ２の一部分のみに到達するのに伴って、ＬＥＤ１から照射された緑色光Ｌ１が到達した部分と、到達しなかった部分とで、多層膜付きレンズ２が外部（図１の多層膜付きレンズ２の右側）から異なる色に見えてしまうおそれを低減することができる。換言すれば、第３の実施形態の照明装置によれば、ＬＥＤ１の点灯時に、多層膜付きレンズ２のほぼ全面が外部（図１の多層膜付きレンズ２の右側）から均一な色に見えるようにすることができる。
【０１００】
詳細には、第３の実施形態の照明装置の第１例では、ＬＥＤ１として、緑色光を照射するものが用いられ、多層膜によって反射される光の波長帯と反射率との関係が図９に示す関係になるように、多層膜が形成されている。
【０１０１】
図９は第３の実施形態の照明装置の第１例の多層膜によって反射される光の波長帯と反射率との関係を示した図である。図９に示すように、第３の実施形態の照明装置の第１例の多層膜では、緑色光が透過せしめられ、緑色光よりも波長の短い光、および、緑色光よりも波長の長い光が反射される。詳細には、青色光、黄色光、および、赤色光が反射される。
【０１０２】
第３の実施形態の照明装置の第１例では、ＬＥＤ１の点灯時に、図１および図９に示すように、ＬＥＤ１から照射された緑色光Ｌ１が、多層膜を透過せしめられ、外部（図１の多層膜付きレンズ２の右側）に照射される。そのため、外部（図１の多層膜付きレンズ２の右側）からは、多層膜を透過せしめられた緑色光Ｌ１’が見える。
【０１０３】
一方、ＬＥＤ１の非点灯時には、図２および図９に示すように、外部（図２の多層膜付きレンズ２の右側）からの例えば自然光のような光Ｌ２のうち、一部の波長帯の緑色光Ｌ２’が多層膜を透過せしめられる。また、多層膜を透過せしめられる緑色光Ｌ２’とは波長帯の異なる青色光、黄色光、および赤色光Ｌ２”が、多層膜によって反射される。そのため、外部（図２の多層膜付きレンズ２の右側）からは、青色光、黄色光、および赤色光が混ざった銀色光Ｌ２”が見える。
【０１０４】
表５は第３の実施形態の照明装置の第１例で用いられる多層膜の詳細を示している。
【０１０５】
【表５】
2008010150.tif 000007
【０１０６】
表５に示すように、第３の実施形態の照明装置の第１例では、１１層の膜によって多層膜が構成されている。詳細には、第１層がＴｉＯ２によって形成され、第１層の屈折率が２．０に設定され、第１層の厚さが１３１ｎｍに設定されている。また、第２層がＳｉＯ２によって形成され、第２層の屈折率が１．４６に設定され、第２層の厚さが１３１ｎｍに設定されている。更に、第３層がＴｉＯ２によって形成され、第３層の屈折率が２．０に設定され、第３層の厚さが２６３ｎｍに設定されている。また、第４層がＳｉＯ２によって形成され、第４層の屈折率が１．４６に設定され、第４層の厚さが１３１ｎｍに設定されている。更に、第５層がＴｉＯ２によって形成され、第５層の屈折率が２．０に設定され、第５層の厚さが１３１ｎｍに設定されている。
【０１０７】
また、第６層がＳｉＯ２によって形成され、第６層の屈折率が１．４６に設定され、第６層の厚さが１３１ｎｍに設定されている。更に、第７層がＴｉＯ２によって形成され、第７層の屈折率が２．０に設定され、第７層の厚さが１３１ｎｍに設定されている。また、第８層がＳｉＯ２によって形成され、第８層の屈折率が１．４６に設定され、第８層の厚さが１３１ｎｍに設定されている。更に、第９層がＴｉＯ２によって形成され、第９層の屈折率が２．０に設定され、第９層の厚さが２６３ｎｍに設定されている。また、第１０層がＳｉＯ２によって形成され、第１０層の屈折率が１．４６に設定され、第１０層の厚さが１３１ｎｍに設定されている。更に、第１１層がＴｉＯ２によって形成され、第１１層の屈折率が２．０に設定され、第１１層の厚さが１３１ｎｍに設定されている。
【０１０８】
以下、本発明の照明装置の第４の実施形態について説明する。第４の実施形態の照明装置は図１および図２に示した第１の実施形態の照明装置とほぼ同様に構成されている。
【０１０９】
第４の実施形態の照明装置では、ＬＥＤ１から例えば青色光が照射される。ＬＥＤ１の点灯時には、図１に示すように、ＬＥＤ１からの青色光Ｌ１が、多層膜を透過せしめられ、外部（図１の多層膜付きレンズ２の右側）に照射される。そのため、外部（図１の多層膜付きレンズ２の右側）からは、多層膜を透過せしめられた青色光Ｌ１’が見える。
【０１１０】
一方、ＬＥＤ１の非点灯時には、図２に示すように、外部（図２の多層膜付きレンズ２の右側）からの例えば自然光のような光Ｌ２のうち、一部の波長帯の青色光Ｌ２’が多層膜を透過せしめられる。また、多層膜を透過せしめられる青色光Ｌ２’とは波長帯の異なる例えば銀色光Ｌ２”が、多層膜によって反射される。そのため、外部（図２の多層膜付きレンズ２の右側）からは、多層膜を透過せしめられる青色光Ｌ１’，Ｌ２’とは波長帯の異なる例えば銀色光Ｌ２”が見える。
【０１１１】
換言すれば、第４の実施形態の照明装置では、ＬＥＤ１の点灯時と、ＬＥＤ１の非点灯時とで、外部（図１および図２の多層膜付きレンズ２の右側）からの見栄えが異なる。
【０１１２】
更に、第４の実施形態の照明装置では、図１に示すように、多層膜付きレンズ２のほぼ全面に到達する程度に拡散角度θの大きい青色光Ｌ１を照射するＬＥＤ１が用いられる。詳細には、第４の実施形態の照明装置では、図１に示すように、ＬＥＤ１の点灯時に、ＬＥＤ１から照射された青色光Ｌ１が多層膜付きレンズ２のほぼ全面に到達し、多層膜を透過せしめられて外部（図１の多層膜付きレンズ２の右側）に照射される。
【０１１３】
そのため、第４の実施形態の照明装置によれば、ＬＥＤ１の点灯時に、ＬＥＤ１から照射された青色光Ｌ１が多層膜付きレンズ２の一部分のみに到達するのに伴って、ＬＥＤ１から照射された青色光Ｌ１が到達した部分と、到達しなかった部分とで、多層膜付きレンズ２が外部（図１の多層膜付きレンズ２の右側）から異なる色に見えてしまうおそれを低減することができる。換言すれば、第４の実施形態の照明装置によれば、ＬＥＤ１の点灯時に、多層膜付きレンズ２のほぼ全面が外部（図１の多層膜付きレンズ２の右側）から均一な色に見えるようにすることができる。
【０１１４】
詳細には、第４の実施形態の照明装置の第１例では、ＬＥＤ１として、青色光を照射するものが用いられ、多層膜によって反射される光の波長帯と反射率との関係が図１０に示す関係になるように、多層膜が形成されている。
【０１１５】
図１０は第４の実施形態の照明装置の第１例の多層膜によって反射される光の波長帯と反射率との関係を示した図である。図１０に示すように、第４の実施形態の照明装置の第１例の多層膜では、青色光の大部分が透過せしめられ、青色光よりも波長の長い光が反射される。詳細には、青色光の一部分、緑色光、および、赤色光が反射される。
【０１１６】
第４の実施形態の照明装置の第１例では、ＬＥＤ１の点灯時に、図１および図１０に示すように、ＬＥＤ１から照射された青色光Ｌ１の大部分が、多層膜を透過せしめられ、外部（図１の多層膜付きレンズ２の右側）に照射される。そのため、外部（図１の多層膜付きレンズ２の右側）からは、多層膜を透過せしめられた青色光Ｌ１’が見える。
【０１１７】
一方、ＬＥＤ１の非点灯時には、図２および図１０に示すように、外部（図２の多層膜付きレンズ２の右側）からの例えば自然光のような光Ｌ２のうち、一部の波長帯の青色光Ｌ２’の大部分が多層膜を透過せしめられる。また、多層膜を透過せしめられなかった青色光Ｌ２”の一部分と、多層膜を透過せしめられる青色光Ｌ２’とは波長帯の異なる緑色光および赤色光Ｌ２”とが、多層膜によって反射される。そのため、外部（図２の多層膜付きレンズ２の右側）からは、青色光、緑色光、および赤色光が混ざった銀色光Ｌ２”が見える。
【０１１８】
表６は第４の実施形態の照明装置の第１例で用いられる多層膜の詳細を示している。
【０１１９】
【表６】
2008010150.tif 000008
【０１２０】
表６に示すように、第４の実施形態の照明装置の第１例では、６層の膜によって多層膜が構成されている。詳細には、第１層がＴｉＯ２によって形成され、第１層の屈折率が２．０に設定され、第１層の厚さが１４３ｎｍに設定されている。また、第２層がＳｉＯ２によって形成され、第２層の屈折率が１．４６に設定され、第２層の厚さが１４３ｎｍに設定されている。更に、第３層がＴｉＯ２によって形成され、第３層の屈折率が２．０に設定され、第３層の厚さが１４３ｎｍに設定されている。また、第４層がＳｉＯ２によって形成され、第４層の屈折率が１．４６に設定され、第４層の厚さが１４３ｎｍに設定されている。更に、第５層がＴｉＯ２によって形成され、第５層の屈折率が２．０に設定され、第５層の厚さが１４３ｎｍに設定されている。また、第６層がＳｉＯ２によって形成され、第６層の屈折率が１．４６に設定され、第６層の厚さが７１ｎｍに設定されている。
【０１２１】
以下、本発明の照明装置の第５の実施形態について説明する。第５の実施形態の照明装置は図１および図２に示した第１の実施形態の照明装置とほぼ同様に構成されている。
【０１２２】
第５の実施形態の照明装置では、ＬＥＤ１から例えば白色光が照射される。ＬＥＤ１の点灯時には、図１に示すように、ＬＥＤ１からの白色光Ｌ１を構成する青色光および黄色光の大部分が、多層膜を透過せしめられ、外部（図１の多層膜付きレンズ２の右側）に照射される。そのため、外部（図１の多層膜付きレンズ２の右側）からは、多層膜を透過せしめられた白色光Ｌ１’が見える。
【０１２３】
一方、ＬＥＤ１の非点灯時には、図２に示すように、外部（図２の多層膜付きレンズ２の右側）からの例えば自然光のような光Ｌ２のうち、白色光Ｌ２’を構成する青色光および黄色光の大部分が多層膜を透過せしめられる。また、多層膜を透過せしめられなかった青色光Ｌ２”の一部分と、多層膜を透過せしめられる白色光Ｌ２’の一部を構成する青色光とは波長帯の異なる緑色光および赤色光Ｌ２”とが、多層膜によって反射され、それらの光が混ざって銀色光として照射される。そのため、外部（図２の多層膜付きレンズ２の右側）からは、多層膜を透過せしめられる白色光Ｌ１’，Ｌ２’とは波長帯の異なる例えば銀色光Ｌ２”が見える。
【０１２４】
換言すれば、第５の実施形態の照明装置では、ＬＥＤ１の点灯時と、ＬＥＤ１の非点灯時とで、外部（図１および図２の多層膜付きレンズ２の右側）からの見栄えが異なる。
【０１２５】
更に、第５の実施形態の照明装置では、図１に示すように、多層膜付きレンズ２のほぼ全面に到達する程度に拡散角度θの大きい白色光Ｌ１を照射するＬＥＤ１が用いられる。詳細には、第５の実施形態の照明装置では、図１に示すように、ＬＥＤ１の点灯時に、ＬＥＤ１から照射された白色光Ｌ１が多層膜付きレンズ２のほぼ全面に到達し、多層膜を透過せしめられて外部（図１の多層膜付きレンズ２の右側）に照射される。
【０１２６】
そのため、第５の実施形態の照明装置によれば、ＬＥＤ１の点灯時に、ＬＥＤ１から照射された白色光Ｌ１が多層膜付きレンズ２の一部分のみに到達するのに伴って、ＬＥＤ１から照射された白色光Ｌ１が到達した部分と、到達しなかった部分とで、多層膜付きレンズ２が外部（図１の多層膜付きレンズ２の右側）から異なる色に見えてしまうおそれを低減することができる。換言すれば、第５の実施形態の照明装置によれば、ＬＥＤ１の点灯時に、多層膜付きレンズ２のほぼ全面が外部（図１の多層膜付きレンズ２の右側）から均一な色に見えるようにすることができる。
【０１２７】
詳細には、第５の実施形態の照明装置の第１例では、ＬＥＤ１として、白色光を照射するものが用いられ、多層膜によって反射される光の波長帯と反射率との関係が図１１に示す関係になるように、多層膜が形成されている。
【０１２８】
図１１は第５の実施形態の照明装置の第１例の多層膜によって反射される光の波長帯と反射率との関係を示した図である。図１１に示すように、第５の実施形態の照明装置の第１例の多層膜では、白色光を構成する青色光および黄色光の大部分が透過せしめられ、青色光の一部分、並びに、緑色光および赤色光の大部分が反射される。
【０１２９】
第５の実施形態の照明装置の第１例では、ＬＥＤ１の点灯時に、図１および図１１に示すように、ＬＥＤ１から照射された白色光Ｌ１を構成する青色光および黄色光の大部分が、多層膜を透過せしめられ、外部（図１の多層膜付きレンズ２の右側）に照射される。そのため、外部（図１の多層膜付きレンズ２の右側）からは、多層膜を透過せしめられた白色光Ｌ１’が見える。
【０１３０】
一方、ＬＥＤ１の非点灯時には、図２および図１１に示すように、外部（図２の多層膜付きレンズ２の右側）からの例えば自然光のような光Ｌ２のうち、一部の波長帯の青色光および黄色光Ｌ２’の大部分が多層膜を透過せしめられる。また、多層膜を透過せしめられなかった青色光Ｌ２”の一部分と、多層膜を透過せしめられる青色光Ｌ２’とは波長帯の異なる緑色光および赤色光Ｌ２”とが、多層膜によって反射される。そのため、外部（図２の多層膜付きレンズ２の右側）からは、青色光、緑色光、および赤色光が混ざった銀色光Ｌ２”が見える。
【０１３１】
表７は第５の実施形態の照明装置の第１例で用いられる多層膜の詳細を示している。
【０１３２】
【表７】
2008010150.tif 000009
【０１３３】
表７に示すように、第５の実施形態の照明装置の第１例では、９層の膜によって多層膜が構成されている。詳細には、第１層がＴｉＯ２によって形成され、第１層の屈折率が２．０に設定され、第１層の厚さが４５０ｎｍに設定されている。また、第２層がＳｉＯ２によって形成され、第２層の屈折率が１．４６に設定され、第２層の厚さが３００ｎｍに設定されている。更に、第３層がＴｉＯ２によって形成され、第３層の屈折率が２．０に設定され、第３層の厚さが９０ｎｍに設定されている。また、第４層がＳｉＯ２によって形成され、第４層の屈折率が１．４６に設定され、第４層の厚さが２１０ｎｍに設定されている。更に、第５層がＴｉＯ２によって形成され、第５層の屈折率が２．０に設定され、第５層の厚さが４５０ｎｍに設定されている。
【０１３４】
また、第６層がＳｉＯ２によって形成され、第６層の屈折率が１．４６に設定され、第６層の厚さが４５ｎｍに設定されている。更に、第７層がＴｉＯ２によって形成され、第７層の屈折率が２．０に設定され、第７層の厚さが９０ｎｍに設定されている。また、第８層がＳｉＯ２によって形成され、第８層の屈折率が１．４６に設定され、第８層の厚さが３４５ｎｍに設定されている。更に、第９層がＴｉＯ２によって形成され、第９層の屈折率が２．０に設定され、第９層の厚さが２１０ｎｍに設定されている。
【０１３５】
以下、本発明の照明装置の第６の実施形態について説明する。図１２および図１３は第６の実施形態の照明装置の断面図である。詳細には、図１２はＬＥＤ１の点灯時における光路を示した第６の実施形態の照明装置の断面図、図１３はＬＥＤ１の非点灯時における光路を示した第６の実施形態の照明装置の断面図である。
【０１３６】
図１２および図１３において、３はＬＥＤ１から照射された光Ｌ１を反射するためのリフレクタを示している。
【０１３７】
第６の実施形態の照明装置では、ＬＥＤ１から例えば赤色光が照射される。ＬＥＤ１の点灯時には、図１２に示すように、ＬＥＤ１からの赤色光Ｌ１が、リフレクタ３によって反射され、多層膜を透過せしめられ、外部（図１２の多層膜付きレンズ２の右側）に照射される。そのため、外部（図１２の多層膜付きレンズ２の右側）からは、多層膜を透過せしめられた赤色光Ｌ１’が見える。
【０１３８】
一方、ＬＥＤ１の非点灯時には、図１３に示すように、外部（図１３の多層膜付きレンズ２の右側）からの例えば自然光のような光Ｌ２のうち、一部の波長帯の赤色光Ｌ２’が多層膜を透過せしめられる。また、多層膜を透過せしめられる赤色光Ｌ２’とは波長帯の異なる例えば銀色光、黄色光、ピンク色光、真紅色光等の光Ｌ２”が、多層膜によって反射される。そのため、外部（図１３の多層膜付きレンズ２の右側）からは、多層膜を透過せしめられる赤色光Ｌ１’，Ｌ２’とは波長帯の異なる例えば銀色光、黄色光、ピンク色光、真紅色光等の光Ｌ２”が見える。
【０１３９】
換言すれば、第６の実施形態の照明装置では、ＬＥＤ１の点灯時と、ＬＥＤ１の非点灯時とで、外部（図１２および図１３の多層膜付きレンズ２の右側）からの見栄えが異なる。
【０１４０】
更に、第６の実施形態の照明装置では、図１２に示すように、ＬＥＤ１から照射された赤色光Ｌ１を多層膜付きレンズ２のほぼ全面に到達させるためのリフレクタ３が設けられている。詳細には、第６の実施形態の照明装置では、ＬＥＤ１の点灯時に、ＬＥＤ１から照射された赤色光Ｌ１が、リフレクタ３によって反射され、多層膜付きレンズ２のほぼ全面に到達し、多層膜を透過せしめられて外部（図１２の多層膜付きレンズ２の右側）に照射される。
【０１４１】
そのため、第６の実施形態の照明装置によれば、ＬＥＤ１の点灯時に、ＬＥＤ１から照射された赤色光Ｌ１が多層膜付きレンズ２の一部分のみに到達するのに伴って、ＬＥＤ１から照射された赤色光Ｌ１が到達した部分と、到達しなかった部分とで、多層膜付きレンズ２が外部（図１２の多層膜付きレンズ２の右側）から異なる色に見えてしまうおそれを低減することができる。換言すれば、第６の実施形態の照明装置によれば、ＬＥＤ１の点灯時に、多層膜付きレンズ２のほぼ全面が外部（図１２の多層膜付きレンズ２の右側）から均一な色に見えるようにすることができる。
【０１４２】
以下、本発明の照明装置の第７の実施形態について説明する。図１４および図１５は第７の実施形態の照明装置の断面図である。詳細には、図１４はＬＥＤ１の点灯時における光路を示した第７の実施形態の照明装置の断面図、図１５はＬＥＤ１の非点灯時における光路を示した第７の実施形態の照明装置の断面図である。
【０１４３】
図１４および図１５において、４はＬＥＤ１から多層膜付きレンズ２までの光路上に配置された光拡散用レンズを示している。
【０１４４】
第７の実施形態の照明装置では、ＬＥＤ１から例えば赤色光が照射される。ＬＥＤ１の点灯時には、図１４に示すように、ＬＥＤ１からの赤色光Ｌ１が、光拡散用レンズ４によって反射され、リフレクタ３によって反射され、多層膜を透過せしめられ、外部（図１４の多層膜付きレンズ２の上側）に照射される。そのため、外部（図１４の多層膜付きレンズ２の上側）からは、多層膜を透過せしめられた赤色光Ｌ１’が見える。
【０１４５】
一方、ＬＥＤ１の非点灯時には、図１５に示すように、外部（図１５の多層膜付きレンズ２の上側）からの例えば自然光のような光Ｌ２のうち、一部の波長帯の赤色光Ｌ２’が多層膜を透過せしめられる。また、多層膜を透過せしめられる赤色光Ｌ２’とは波長帯の異なる例えば銀色光、黄色光、ピンク色光、真紅色光等の光Ｌ２”が、多層膜によって反射される。そのため、外部（図１５の多層膜付きレンズ２の上側）からは、多層膜を透過せしめられる赤色光Ｌ１’，Ｌ２’とは波長帯の異なる例えば銀色光、黄色光、ピンク色光、真紅色光等の光Ｌ２”が見える。
【０１４６】
換言すれば、第７の実施形態の照明装置では、ＬＥＤ１の点灯時と、ＬＥＤ１の非点灯時とで、外部（図１４および図１５の多層膜付きレンズ２の上側）からの見栄えが異なる。
【０１４７】
更に、第７の実施形態の照明装置では、図１４に示すように、ＬＥＤ１から照射された赤色光Ｌ１を多層膜付きレンズ２のほぼ全面に到達させるためのリフレクタ３および光拡散用レンズ４が設けられている。詳細には、第７の実施形態の照明装置では、ＬＥＤ１の点灯時に、ＬＥＤ１から照射された赤色光Ｌ１が、光拡散用レンズ４によって反射され、リフレクタ３によって反射され、多層膜付きレンズ２のほぼ全面に到達し、多層膜を透過せしめられて外部（図１４の多層膜付きレンズ２の上側）に照射される。
【０１４８】
そのため、第７の実施形態の照明装置によれば、ＬＥＤ１の点灯時に、ＬＥＤ１から照射された赤色光Ｌ１が多層膜付きレンズ２の一部分のみに到達するのに伴って、ＬＥＤ１から照射された赤色光Ｌ１が到達した部分と、到達しなかった部分とで、多層膜付きレンズ２が外部（図１４の多層膜付きレンズ２の上側）から異なる色に見えてしまうおそれを低減することができる。換言すれば、第７の実施形態の照明装置によれば、ＬＥＤ１の点灯時に、多層膜付きレンズ２のほぼ全面が外部（図１４の多層膜付きレンズ２の上側）から均一な色に見えるようにすることができる。
【０１４９】
更に、第７の実施形態の照明装置では、図１４および図１５に示すように、ＬＥＤ１から多層膜付きレンズ２までの光路上に光拡散用レンズ４が配置されている。そのため、第７の実施形態の照明装置によれば、光拡散用レンズ４が配置されていない図１２および図１３に示した第６の実施形態の照明装置よりも多層膜付きレンズ２を大きくすることができる。
【０１５０】
以下、本発明の照明装置の第８の実施形態について説明する。図１６および図１７は第８の実施形態の照明装置の断面図である。詳細には、図１６はＬＥＤ１の点灯時における光路を示した第８の実施形態の照明装置の断面図、図１７はＬＥＤ１の非点灯時における光路を示した第８の実施形態の照明装置の断面図である。
【０１５１】
図１６および図１７において、５はＬＥＤ１から照射された光を多層膜付きレンズ２のほぼ全面に到達させるための導光レンズを示している。
【０１５２】
第８の実施形態の照明装置では、ＬＥＤ１から例えば赤色光が照射される。ＬＥＤ１の点灯時には、図１６に示すように、ＬＥＤ１からの赤色光Ｌ１が、導光レンズ５によって多層膜付きレンズ２に導光され、多層膜を透過せしめられ、外部（図１６の多層膜付きレンズ２の上側）に照射される。そのため、外部（図１６の多層膜付きレンズ２の上側）からは、多層膜を透過せしめられた赤色光Ｌ１’が見える。
【０１５３】
一方、ＬＥＤ１の非点灯時には、図１７に示すように、外部（図１７の多層膜付きレンズ２の上側）からの例えば自然光のような光Ｌ２のうち、一部の波長帯の赤色光Ｌ２’が多層膜を透過せしめられる。また、多層膜を透過せしめられる赤色光Ｌ２’とは波長帯の異なる例えば銀色光、黄色光、ピンク色光、真紅色光等の光Ｌ２”が、多層膜によって反射される。そのため、外部（図１７の多層膜付きレンズ２の上側）からは、多層膜を透過せしめられる赤色光Ｌ１’，Ｌ２’とは波長帯の異なる例えば銀色光、黄色光、ピンク色光、真紅色光等の光Ｌ２”が見える。
【０１５４】
換言すれば、第８の実施形態の照明装置では、ＬＥＤ１の点灯時と、ＬＥＤ１の非点灯時とで、外部（図１６および図１７の多層膜付きレンズ２の上側）からの見栄えが異なる。
【０１５５】
更に、第８の実施形態の照明装置では、図１６に示すように、ＬＥＤ１から照射された赤色光Ｌ１を多層膜付きレンズ２のほぼ全面に到達させるための導光レンズ５が設けられている。詳細には、第８の実施形態の照明装置では、ＬＥＤ１の点灯時に、ＬＥＤ１から照射された赤色光Ｌ１が、導光レンズ５によって導光され、多層膜付きレンズ２のほぼ全面に到達し、多層膜を透過せしめられて外部（図１６の多層膜付きレンズ２の上側）に照射される。
【０１５６】
そのため、第８の実施形態の照明装置によれば、ＬＥＤ１の点灯時に、ＬＥＤ１から照射された赤色光Ｌ１が多層膜付きレンズ２の一部分のみに到達するのに伴って、ＬＥＤ１から照射された赤色光Ｌ１が到達した部分と、到達しなかった部分とで、多層膜付きレンズ２が外部（図１６の多層膜付きレンズ２の上側）から異なる色に見えてしまうおそれを低減することができる。換言すれば、第８の実施形態の照明装置によれば、ＬＥＤ１の点灯時に、多層膜付きレンズ２のほぼ全面が外部（図１６の多層膜付きレンズ２の上側）から均一な色に見えるようにすることができる。
【０１５７】
以下、本発明の照明装置の第９の実施形態について説明する。図１８および図１９は第９の実施形態の照明装置の断面図である。詳細には、図１８はＬＥＤ１の点灯時における光路を示した第９の実施形態の照明装置の断面図、図１９はＬＥＤ１の非点灯時における光路を示した第９の実施形態の照明装置の断面図である。
【０１５８】
第９の実施形態の照明装置では、ＬＥＤ１から照射された光を多層膜付きレンズ２の外側（図１８および図１９の上側）の面のほぼ全面に到達させるための導光機能が、多層膜付きレンズ２に備えられている。更に、第９の実施形態の照明装置の多層膜付きレンズ２では、多層膜がレンズの外側（図１８および図１９の多層膜付きレンズ２の上側）の面に形成されている。
【０１５９】
第９の実施形態の照明装置では、ＬＥＤ１から例えば赤色光が照射される。ＬＥＤ１の点灯時には、図１８に示すように、ＬＥＤ１からの赤色光Ｌ１が、多層膜付きレンズ２によって導光され、多層膜を透過せしめられ、外部（図１８の多層膜付きレンズ２の上側）に照射される。そのため、外部（図１８の多層膜付きレンズ２の上側）からは、多層膜を透過せしめられた赤色光Ｌ１’が見える。
【０１６０】
一方、ＬＥＤ１の非点灯時には、図１９に示すように、外部（図１９の多層膜付きレンズ２の上側）からの例えば自然光のような光Ｌ２のうち、一部の波長帯の赤色光Ｌ２’が多層膜を透過せしめられる。また、多層膜を透過せしめられる赤色光Ｌ２’とは波長帯の異なる例えば銀色光、黄色光、ピンク色光、真紅色光等の光Ｌ２”が、多層膜によって反射される。そのため、外部（図１９の多層膜付きレンズ２の上側）からは、多層膜を透過せしめられる赤色光Ｌ１’，Ｌ２’とは波長帯の異なる例えば銀色光、黄色光、ピンク色光、真紅色光等の光Ｌ２”が見える。
【０１６１】
換言すれば、第９の実施形態の照明装置では、ＬＥＤ１の点灯時と、ＬＥＤ１の非点灯時とで、外部（図１８および図１９の多層膜付きレンズ２の上側）からの見栄えが異なる。
【０１６２】
更に、第９の実施形態の照明装置では、図１８に示すように、ＬＥＤ１から照射された赤色光Ｌ１を多層膜付きレンズ２のほぼ全面に到達させるための導光機能が多層膜付きレンズ２に備えられている。詳細には、第９の実施形態の照明装置では、ＬＥＤ１の点灯時に、ＬＥＤ１から照射された赤色光Ｌ１が、多層膜付きレンズ２によって導光され、多層膜付きレンズ２の上面のほぼ全面に到達し、多層膜を透過せしめられて外部（図１８の多層膜付きレンズ２の上側）に照射される。
【０１６３】
そのため、第９の実施形態の照明装置によれば、ＬＥＤ１の点灯時に、ＬＥＤ１から照射された赤色光Ｌ１が多層膜付きレンズ２の一部分のみに到達するのに伴って、ＬＥＤ１から照射された赤色光Ｌ１が到達した部分と、到達しなかった部分とで、多層膜付きレンズ２が外部（図１８の多層膜付きレンズ２の上側）から異なる色に見えてしまうおそれを低減することができる。換言すれば、第９の実施形態の照明装置によれば、ＬＥＤ１の点灯時に、多層膜付きレンズ２のほぼ全面が外部（図１８の多層膜付きレンズ２の上側）から均一な色に見えるようにすることができる。
【０１６４】
上述した第１から第９の実施形態の照明装置、および、それらの変形例、ならびに、それらの各例では、ＬＥＤ１の非点灯時に多層膜から銀色、黄色、ピンク色、および、真紅色の反射光が照射されているが、それらの他の変形例では、反射光に含まれる青色成分、緑色成分、および、赤色成分のバランスを変更することにより、ＣＩＥ色度座標上の任意の色の反射光を照射することが可能である。
【０１６５】
更に、上述した第１から第５の実施形態の照明装置の各例では、高屈折率層（ＴｉＯ２層）の屈折率が２．０に設定されているが、それらの変形例では、代わりに、高屈折率層（ＴｉＯ２層）の屈折率を１．６〜２．５の任意の値に設定することも可能である。また、上述した第１から第５の実施形態の照明装置の各例では、低屈折率層（ＳｉＯ２層）の屈折率が１．４６に設定されているが、それらの変形例では、代わりに、低屈折率層（ＳｉＯ２層）の屈折率を１．３〜１．５５の任意の値に設定することも可能である。
【０１６６】
更に、上述した第１から第９の実施形態の照明装置、および、それらの変形例、ならびに、それらの各例では、多層膜付きレンズ２のレンズとして、例えばアクリル系樹脂、ポリカーボネート、ガラスなどのような透明感のある材料が用いられ、好ましくは、クリア感のある色を出すことができる染料がそれらの材料に練りこまれる。
【０１６７】
上述したように、第２の実施形態の照明装置では、ＬＥＤ１としてオレンジ色光を照射するものが用いられ、ＬＥＤ１から照射されたオレンジ色光Ｌ１が多層膜を透過せしめられているが、第２の実施形態の照明装置の変形例では、代わりに、ＬＥＤ１として白色光を照射するものを用いると共に、ＬＥＤ１と多層膜との間にオレンジ色レンズまたはオレンジ色塗膜を配置し、オレンジ色レンズまたはオレンジ色塗膜によってオレンジ色に着色された光が、多層膜を透過せしめられるようにすることも可能である。
【０１６８】
また、第３の実施形態の照明装置では、ＬＥＤ１として緑色光を照射するものが用いられ、ＬＥＤ１から照射された緑色光Ｌ１が多層膜を透過せしめられているが、第３の実施形態の照明装置の変形例では、代わりに、ＬＥＤ１として白色光を照射するものを用いると共に、ＬＥＤ１と多層膜との間に緑色レンズまたは緑色塗膜を配置し、緑色レンズまたは緑色塗膜によって緑色に着色された光が、多層膜を透過せしめられるようにすることも可能である。
【０１６９】
更に、第４の実施形態の照明装置では、ＬＥＤ１として青色光を照射するものが用いられ、ＬＥＤ１から照射された青色光Ｌ１が多層膜を透過せしめられているが、第４の実施形態の照明装置の変形例では、代わりに、ＬＥＤ１として白色光を照射するものを用いると共に、ＬＥＤ１と多層膜との間に青色レンズまたは青色塗膜を配置し、青色レンズまたは青色塗膜によって青色に着色された光が、多層膜を透過せしめられるようにすることも可能である。
【０１７０】
また、上述した第１から第９の実施形態の照明装置、および、それらの変形例、ならびに、それらの各例では、例えばウエット方式、蒸着方式、プラズマアシスト付き蒸着方式、スパッタ方式などのような任意の方式によって多層膜が成膜される。
【０１７１】
更に、上述した第１から第５の実施形態の照明装置の各例では、高屈折率層としてＴｉＯ２層が形成されているが、それらの変形例では、代わりに、高屈折率層として、例えば酸化ジルコニア層、酸化タンタル層、または、これらを含む層などを形成することも可能である。
【０１７２】
また、上述した第１から第５の実施形態の照明装置の各例では、低屈折率層としてＳｉＯ２層が形成されているが、それらの変形例では、代わりに、低屈折率層として、例えばフッ化マグネシウム層、有機ポリマー層などを形成することも可能である。
【０１７３】
上述した第１から第６および第８、第９の実施形態の照明装置、および、それらの各例では、ＬＥＤ１から多層膜付きレンズ２までの光路上に光拡散用レンズ４が配置されていないが、それらの変形例では、代わりに、ＬＥＤ１から多層膜付きレンズ２までの光路上に、ＬＥＤ１からの光を拡散させるための光拡散用レンズ（図示せず）を配置することも可能である。
【０１７４】
第１０の実施形態の照明装置では、上述した第１から第９の実施形態の照明装置、および、それらの変形例、ならびに、それらの各例を適宜組合わせることも可能である。
【産業上の利用可能性】
【０１７５】
本発明の照明装置は、例えば車両用灯具、遊技機用照明、一般照明等に適用可能である。
【図面の簡単な説明】
【０１７６】
【図１】ＬＥＤ１の点灯時における光路を示した第１の実施形態の照明装置の断面図である。
【図２】ＬＥＤ１の非点灯時における光路を示した第１の実施形態の照明装置の断面図である。
【図３】第１の実施形態の照明装置の第１例の多層膜によって反射される光の波長帯と反射率との関係を示した図である。
【図４】第１の実施形態の照明装置の第２例の多層膜によって反射される光の波長帯と反射率との関係を示した図である。
【図５】第１の実施形態の照明装置の第３例の多層膜によって反射される光の波長帯と反射率との関係を示した図である。
【図６】第１の実施形態の照明装置の第４例の多層膜によって反射される光の波長帯と反射率との関係を示した図である。
【図７】第１の実施形態の照明装置の第５例の多層膜によって反射される光の波長帯と反射率との関係を示した図である。
【図８】第１の実施形態の照明装置の第６例の多層膜によって反射される光の波長帯と反射率との関係を示した図である。
【図９】第３の実施形態の照明装置の第１例の多層膜によって反射される光の波長帯と反射率との関係を示した図である。
【図１０】第４の実施形態の照明装置の第１例の多層膜によって反射される光の波長帯と反射率との関係を示した図である。
【図１１】第５の実施形態の照明装置の第１例の多層膜によって反射される光の波長帯と反射率との関係を示した図である。
【図１２】ＬＥＤ１の点灯時における光路を示した第６の実施形態の照明装置の断面図である。
【図１３】ＬＥＤ１の非点灯時における光路を示した第６の実施形態の照明装置の断面図である。
【図１４】ＬＥＤ１の点灯時における光路を示した第７の実施形態の照明装置の断面図である。
【図１５】ＬＥＤ１の非点灯時における光路を示した第７の実施形態の照明装置の断面図である。
【図１６】ＬＥＤ１の点灯時における光路を示した第８の実施形態の照明装置の断面図である。
【図１７】ＬＥＤ１の非点灯時における光路を示した第８の実施形態の照明装置の断面図である。
【図１８】ＬＥＤ１の点灯時における光路を示した第９の実施形態の照明装置の断面図である。
【図１９】ＬＥＤ１の非点灯時における光路を示した第９の実施形態の照明装置の断面図である。
【図２０】第１の実施形態の照明装置の変形例のＬＥＤを示した図である。
【符号の説明】
【０１７７】
１        ＬＥＤ
２        多層膜付きレンズ
３        リフレクタ
４        光拡散用レンズ
５        導光レンズ
【図１】
2008010150.tif 000010
【図２】
2008010150.tif 000011
【図３】
2008010150.tif 000012
【図４】
2008010150.tif 000013
【図５】
2008010150.tif 000014
【図６】
2008010150.tif 000015
【図７】
2008010150.tif 000016
【図８】
2008010150.tif 000017
【図９】
2008010150.tif 000018
【図１０】
2008010150.tif 000019
【図１１】
2008010150.tif 000020
【図１２】
2008010150.tif 000021
【図１３】
2008010150.tif 000022
【図１４】
2008010150.tif 000023
【図１５】
2008010150.tif 000024
【図１６】
2008010150.tif 000025
【図１７】
2008010150.tif 000026
【図１８】
2008010150.tif 000027
【図１９】
2008010150.tif 000028
【図２０】
2008010150.tif 000029